(57)【特許請求の範囲】
【請求項１】
外周に所定ピッチで設けた歯の間に歯間溝を有し、回転駆動源の駆動によって回転するプーリと、
該プーリの歯間溝に噛み合うスパイラル部と直線状の芯部とを有し、前記プーリの外周に巻かれて前記プーリの回転を直線運動に変換するロープと、
該ロープによって変換された直線運動によって往復移動し、原稿画像を読み取る画像読取手段と、
を備えた画像読取装置において、
前記プーリは、前記ロープの芯部が巻かれる外周位置を境に２分割したものを一体化する構成であり、
２分割した前記プーリの一方側は、外周の歯間溝が前記ロープの前記スパイラル部の幅と略一致する溝幅に形成され、他方側は、外周の歯間溝が前記ロープの前記スパイラル部の幅よりも広い溝幅に形成されたことを特徴とする画像読取装置。
【発明の詳細な説明】
【０００１】
【発明の属する技術分野】
本発明は、原稿台ガラス上の原稿に対してイメージセンサを走査させて読み取る画像読取装置に関するものである。
【０００２】
【従来の技術】
従来、この種の画像読取装置としては、図８に示すものがある。
【０００３】
図８において、画像読取装置２００は、枠体１０１に設けられた原稿台ガラス１０３上に原稿を載置し、原稿カバー１０２を閉じて原稿を原稿台ガラス１０３に押圧して画像読取を行うものである。
【０００４】
枠体１０１は、外装カバーを兼ねており、内部に後述する構成要素が配設されている。枠体１０１の上面には、原稿が載置される原稿台ガラス１０３が設けられている。また、原稿を原稿台ガラス１０３と挟むように原稿カバー１０２が枠体１０１に回動自在に取り付けられている。
【０００５】
枠体１０１内部には、モータ１０５の回転により、ガイドシャフト１０６にガイドされて、原稿台ガラス１０３に沿って平行に走査することにより、原稿台ガラス１０３上の積載原稿の画像を読み取る読取ユニット１０４が設けられている。
【０００６】
読取ユニット１０４の中には、原稿照射用の光源である三色（Ｒ、Ｇ、Ｂ）のＬＥＤ、原稿からの反射光をイメージセンサの受光素子上に結像するロッドレンズアレイ及びイメージセンサが組込まれている。読取ユニット１０４では、三色のＬＥＤを順次切り替えて点灯し、イメージセンサが各色ごとの原稿からの反射光を読み取ることにより、色分解読取をする。
【０００７】
読取ユニット１０４は、ホルダー１０７上に配置されている。ホルダー１０７には、スライダ１０８が配設されており、スライダ１０８はガイドシャフト１０６に摺動可能となっている。このため、読取ユニット１０４は、ガイドシャフト１０６に摺動するスライダ１０８を有するホルダー１０７によって、ガイドシャフト１０６にガイドされる。
【０００８】
また、ホルダー１０７には、読取ユニット１０４がガイドシャフト１０６にガイドされて移動するための駆動源であるモータ１０５が配設されている。
【０００９】
ここで、読取ユニット１０４をガイドするガイドシャフト１０６の端部は、枠体１０１の軸受部に支持され、枠体１０１にビスで固定され、回転防止及び位置決めがなされている。
【００１０】
また枠体１０１内部には、モータ１０５からの駆動力をホルダー１０７、すなわちホルダー１０７に保持される読取ユニット１０４に伝達する伝達機構が収容されている。
【００１１】
伝達機構は、モータ１０５の回転駆動によって回転するシンクロメッシュプーリ１０９と、枠体１０１内部に張られ、シンクロメッシュプーリ１０９の回転を読取ユニット１０４の直線運動に変換するシンクロメッシュロープ１１０と、で構成される。
【００１２】
シンクロメッシュプーリ１０９は、図９（ｂ）に示すように外周にシンクロメッシュロープ１１０が巻かれる溝が形成されている。
【００１３】
シンクロメッシュロープ１１０は、一端が枠体１０１に固定され、他端が不図示の偏倚手段により支持されて、所定の張力を保っている。また、シンクロメッシュロープ１１０には、図１０に示すように、芯部１１０ａ及びスパイラル部１１０ｂが設けられている。シンクロメッシュロープ１１０の芯部１１０ａ及びスパイラル部１１０ｂは、芯ワイヤーの外周にスパイラルワイヤーが巻かれ、芯ワイヤーに接着剤で接着されて構成される。
【００１４】
そして、シンクロメッシュロープ１１０は、図１１に示すように、シンクロメッシュプーリ１０９の外周溝に巻かれ、シンクロメッシュプーリ１０９の回転によって、シンクロメッシュプーリ１０９自身がシンクロメッシュロープ１１０の延びる方向に直線移動する。
【００１５】
よって、モータ１０５の駆動力は、シンクロメッシュプーリ１０９に伝達され、モータ１０５の正逆回転に応じてシンクロメッシュプーリ１０９が正逆回転することにより、読取ユニット１０４は原稿台ガラス１０３に沿って平行に往復移動できる。
【００１６】
さらに枠体１０１内部には、メイン基板１１１が配設されており、読取ユニット１０４やモータ１０５の制御信号路であるフラットケーブル１１２が接続されている。
【００１７】
【発明が解決しようとする課題】
しかしながら、上記のような従来技術の場合には、下記のような問題が生じていた。
【００１８】
シンクロメッシュプーリ１０９は、シンクロメッシュロープ１１０の動きを規制するため、図９（ｂ）に示すように、シンクロメッシュロープ１１０が巻かれる外周溝内に、シンクロメッシュロープ１１０のスパイラル部１１０ｂに噛み合うシンクロメッシュプーリ１０９の所定ピッチの歯間の溝（歯間溝１０９ｃ）と、シンクロメッシュロープ１１０の芯部１１０ａが嵌め込まれる環状溝１０９ｄと、が形成されている。
【００１９】
このような、シンクロメッシュプーリ１０９を製作する場合には、まず、図９（ａ）に示すように、外周溝の溝底のシンクロメッシュロープ１１０の芯部１１０ａが嵌め込まれる環状溝１０９ｄを境に２分割してプーリ部品１０９Ａ，１０９Ｂを成型し、成型後にプーリ部品１０９Ａ，１０９Ｂを溶着等の方法で一体化して製作していた。
【００２０】
この２個のプーリ部品１０９Ａ，１０９Ｂを一体化する時に、図１２に示すように、２個のプーリ部品１０９Ａ，１０９Ｂの外周溝内に設けられる歯間溝１０９ｃが２個のプーリ部品１０９Ａ，１０９Ｂにわたって直線状とはならず、ずれが生じてしまうことがある。
【００２１】
この歯間溝１０９ｃのずれは、図１３に示すように、シンクロメッシュプーリ１０９の外周溝に巻かれるシンクロメッシュロープ１１０のスパイラル部１１０ｂをねじれさせてしまい、ねじれの過負荷により、シンクロメッシュロープ１１０のスパイラルワイヤーの芯ワイヤーに対する接着が剥離してしまい、シンクロメッシュロープ１１０が破損するおそれがあった。
【００２２】
本発明は上記の従来技術の課題を解決するためになされたもので、その目的とするところは、スパイラル部を有するロープの破損を防止する品質に優れた画像読取装置を提供することにある。
【００２３】
【課題を解決するための手段】
上記目的を達成するために本発明にあっては、
外周に所定ピッチで設けた歯の間に歯間溝を有し、回転駆動源の駆動によって回転するプーリと、
該プーリの歯間溝に噛み合うスパイラル部と直線状の芯部とを有し、前記プーリの外周に巻かれて前記プーリの回転を直線運動に変換するロープと、
該ロープによって変換された直線運動によって往復移動し、原稿画像を読み取る画像読取手段と、
を備えた画像読取装置において、
前記プーリは、前記ロープの芯部が巻かれる外周位置を境に２分割したものを一体化する構成であり、
２分割した前記プーリの一方側は、外周の歯間溝が前記ロープの前記スパイラル部の幅と略一致する溝幅に形成され、他方側は、外周の歯間溝が前記ロープの前記スパイラル部の幅よりも広い溝幅に形成されたことを特徴とする。
【００２５】
したがって、２分割したプーリの一方側の歯間溝がロープのスパイラル部の幅と略一致する溝幅に形成され、他方側の歯間溝がロープのスパイラル部の幅よりも広い溝幅に形成される構成とすることにより、プーリの外周に巻かれるロープのスパイラル部はねじれることがないので、ねじれの過負荷によりロープのスパイラルワイヤーの芯ワイヤーに対する接着が剥離してしまいロープが破損することを防止できる。
【００２６】
【発明の実施の形態】
以下に図面を参照して、この発明の好適な実施の形態を例示的に詳しく説明する。ただし、この実施の形態に記載されている構成部品の寸法、材質、形状、その相対配置などは、特に特定的な記載がない限りは、この発明の範囲をそれらのみに限定する趣旨のものではない。
【００２７】
（第１の実施の形態）
図１〜図４を参照して、第１の実施の形態に係る画像読取装置について説明する。図１は第１の実施の形態に係る画像読取装置を示す斜視図である。
【００２８】
図１において、画像読取装置１００は、枠体１に設けられた原稿台ガラス３上に原稿を載置し、原稿カバー２を閉じて原稿を原稿台ガラス３に押圧して画像読取を行うものである。
【００２９】
枠体１は、外装カバーを兼ねており、内部に後述する構成要素が配設されている。枠体１の上面には、原稿が載置される原稿台ガラス３が設けられている。また、原稿を原稿台ガラス３と挟むように原稿カバー２が枠体１に回動自在に取り付けられている。
【００３０】
枠体１内部には、モータ５の回転により、ガイドシャフト６にガイドされて、原稿台ガラス３に沿って平行に走査することにより、原稿台ガラス３上の積載原稿の画像を読み取る読取ユニット４が設けられている。
【００３１】
読取ユニット４の中には、原稿照射用の光源である三色（Ｒ、Ｇ、Ｂ）のＬＥＤ、原稿からの反射光をイメージセンサの受光素子上に結像するロッドレンズアレイ及びイメージセンサが組込まれている。読取ユニット４では、三色のＬＥＤを順次切り替えて点灯し、イメージセンサが各色ごとの原稿からの反射光を読み取ることにより、色分解読取をする。
【００３２】
読取ユニット４は、ホルダー７上に配置されている。ホルダー７には、スライダ８が配設されており、スライダ８はガイドシャフト６に摺動可能となっている。このため、読取ユニット４は、ガイドシャフト６に摺動するスライダ８を有するホルダー７によって、ガイドシャフト６にガイドされる。
【００３３】
また、ホルダー７には、読取ユニット４がガイドシャフト６にガイドされて移動するための駆動源であるモータ５が配設されている。
【００３４】
ここで、読取ユニット４をガイドするガイドシャフト６の端部は、枠体１の軸受部に支持され、枠体１にビスで固定され、回転防止及び位置決めがなされている。
【００３５】
また枠体１内部には、モータ５からの駆動力をホルダー７、すなわちホルダー７に保持される読取ユニット４に伝達する伝達機構が収容されている。
【００３６】
伝達機構は、モータ５の回転駆動によって回転するシンクロメッシュプーリ９と、枠体１内部に張られ、シンクロメッシュプーリ９の回転を読取ユニット４の直線運動に変換するシンクロメッシュロープ１０と、で構成される。
【００３７】
シンクロメッシュプーリ９は、図３に示すように外周にシンクロメッシュロープ１０が巻かれる外周溝が形成されている。シンクロメッシュプーリ９についての具体的な構成については後述する。
【００３８】
シンクロメッシュロープ１０は、一端が枠体１に固定され、他端が不図示の偏倚手段により支持されて、所定の張力を保っている。また、シンクロメッシュロープ１０には、従来の図１０と同様に、芯部１０ａ及びスパイラル部１０ｂが設けられている。シンクロメッシュロープ１０の芯部１０ａ及びスパイラル部１０ｂは、芯ワイヤーの外周にスパイラルワイヤーが巻かれ、芯ワイヤーに接着剤で接着されて構成される。
【００３９】
そして、シンクロメッシュロープ１０は、従来の図１１と同様に、シンクロメッシュプーリ９の外周溝に巻かれ、シンクロメッシュプーリ９の回転によって、シンクロメッシュプーリ９自身がシンクロメッシュロープ１０の延びる方向に直線移動する。
【００４０】
よって、モータ５の駆動力は、シンクロメッシュプーリ９に伝達され、モータ５の正逆回転に応じてシンクロメッシュプーリ９が正逆回転することにより、読取ユニット４は原稿台ガラス３に沿って平行に往復移動できる。
【００４１】
さらに枠体１内部には、メイン基板１１が配設されており、読取ユニット４やモータ５の制御信号路であるフラットケーブル１２が接続されている。
【００４２】
次に、本発明の特徴部分であるシンクロメッシュプーリ９の構成について説明する。
【００４３】
シンクロメッシュプーリ９は、シンクロメッシュロープ１０の動きを規制するため、図３に示すように、シンクロメッシュロープ１０が巻かれる外周溝内に、シンクロメッシュロープ１０のスパイラル部１０ｂに噛み合うシンクロメッシュプーリ９の所定ピッチの歯間の溝（歯間溝９ｃ）と、シンクロメッシュロープ１０の芯部１０ａが嵌め込まれる環状溝９ｄと、が形成されている。
【００４４】
このシンクロメッシュプーリ９を製作する場合には、まず、図２に示すように、外周溝の溝底のシンクロメッシュロープ１０の芯部１０ａが嵌め込まれる環状溝９ｄを境に２分割してプーリ部品９Ａ，９Ｂとして成形する。
【００４５】
図２において、２分割した片方のプーリ部品９Ａは、シンクロメッシュロープ１０のスパイラル部１０ｂに噛み合う歯間溝９ｃ１の幅ｗ１を、シンクロメッシュロープ１０のスパイラル部１０ｂの幅ｗと略一致する、具体的には嵌合公差分だけ広い幅で形成している。
【００４６】
２分割した他方のプーリ部品９Ｂは、シンクロメッシュロープ１０のスパイラル部１０ｂに噛み合う歯間溝９ｃ２の幅ｗ２を、プーリ部品９Ａの歯間溝９ｃ１の幅ｗ１よりも、約２０％以上広い幅で形成している。
【００４７】
そして、成形されたプーリ部品９Ａ，９Ｂを溶着等の方法で一体化してシンクロメッシュプーリ９を製作する。この２個のプーリ部品９Ａ，９Ｂを一体化する時には、所定の位置決めを行っているが、２個のプーリ部品９Ａ，９Ｂ間の位置決めが若干ずれることがある。
【００４８】
本実施の形態では、プーリ部品９Ｂの歯間溝９ｃ２の幅ｗ２がプーリ部品９Ａの歯間溝９ｃ１の幅ｗ１よりも約２０％以上広い幅を有することから、一体化の際に２個のプーリ部品９Ａ，９Ｂ間の位置決めが若干ずれた場合でも、歯間溝９ｃ２の幅ｗ２の範囲で歯間溝９ｃ１の幅ｗ１が確保できる。
【００４９】
即ち、一体化されたシンクロメッシュプーリ９の歯間溝９ｃには、図３に示すように、２個のプーリ部品９Ａ，９Ｂにわたって直線状な幅ｗ１（少なくともシンクロメッシュロープ１０のスパイラル部１０ｂの幅ｗと略一致する、具体的には嵌合公差分だけ広い幅）を設けることができる。
【００５０】
したがって、図４に示すように、シンクロメッシュロープ１０がシンクロメッシュプーリ９の外周溝に巻かれると、シンクロメッシュロープ１０の幅ｗを有するスパイラル部１０ｂは歯間溝９ｃの２個のプーリ部品９Ａ，９Ｂにわたる直線状な幅ｗ１にまっすぐ嵌めることができ、シンクロメッシュロープ１０のスパイラル部１０ｂがねじれることなく歯間溝９ｃに噛み合わせることができる。
【００５１】
以上のように、本実施の形態では、シンクロメッシュプーリ９の外周に巻かれるシンクロメッシュロープ１０のスパイラル部１０ｂはねじれることがないので、ねじれの過負荷によりシンクロメッシュロープ１０のスパイラルワイヤーの芯ワイヤーに対する接着が剥離してしまいシンクロメッシュロープ１０が破損することを防止できる。
【００５２】
（第２の実施の形態）
図５〜図７には、第２の実施の形態が示されている。上記第１の実施の形態とは異なり、プーリ部品９Ａ，９Ｂの各歯間溝９ｃ１，９ｃ２の幅ｗ３をシンクロメッシュロープ１０のスパイラル部１０ｂの幅ｗよりも２０〜３０％程度広い幅で形成し、プーリ部品９Ａ，９Ｂにわたる直線状な最小幅ｗ４をスパイラル部１０ｂの幅ｗよりも広く確保して一体化する。
【００５３】
その他の構成および作用については第１の実施の形態と同一なので、同一の構成部分については同一の符号を付して、その説明は省略する。このため、本実施の形態では、本発明の特徴部分であるシンクロメッシュプーリ９の構成についてだけ説明する。
【００５４】
本実施の形態のシンクロメッシュプーリ９は、シンクロメッシュロープ１０の動きを規制するため、図６に示すように、シンクロメッシュロープ１０が巻かれる外周溝内に、シンクロメッシュロープ１０のスパイラル部１０ｂに噛み合うシンクロメッシュプーリ９の所定ピッチの歯間の溝（歯間溝９ｃ）と、シンクロメッシュロープ１０の芯部１０ａが嵌め込まれる環状溝９ｄと、が形成されている。
【００５５】
このシンクロメッシュプーリ９を製作する場合には、まず、図５に示すように、外周溝の溝底のシンクロメッシュロープ１０の芯部１０ａが嵌め込まれる環状溝９ｄを境に２分割してプーリ部品９Ａ，９Ｂとして成形する。
【００５６】
図５において、２分割した片方のプーリ部品９Ａ，９Ｂは、シンクロメッシュロープ１０のスパイラル部１０ｂに噛み合う歯間溝９ｃ１，９ｃ２の幅ｗ３を、シンクロメッシュロープ１０のスパイラル部１０ｂの幅ｗよりも、約２０〜３０％以上広い幅で形成している。
【００５７】
そして、成形されたプーリ部品９Ａ，９Ｂを溶着等の方法で一体化してシンクロメッシュプーリ９を製作する際には、２個のプーリ部品９Ａ，９Ｂ間の位置決めが若干ずれた場合でも、歯間溝９ｃにプーリ部品９Ａ，９Ｂにわたる直線状な最小幅ｗ４をシンクロメッシュロープ１０のスパイラル部１０ｂの幅ｗよりも広く形成するようにして一体化し、最小幅ｗ４を確保する。
【００５８】
即ち、成形されたプーリ部品９Ａ，９Ｂの一体化は、プーリ部品９Ａ，９Ｂの歯の位置が同一直線状に並ぶ位置（最小幅ｗ４も幅ｗ３となる位置）から歯間溝９ｃのプーリ部品９Ａ，９Ｂにわたる直線状な最小幅ｗ４がシンクロメッシュロープ１０のスパイラル部１０ｂの幅ｗと略一致する、具体的には嵌合公差分だけ広い幅となる位置までの範囲で行う。
【００５９】
したがって、図７（ａ）に示すように最小幅ｗ４も幅ｗ３となる一体化や、図７（ｂ）に示すように最小幅ｗ４が嵌合公差分だけスパイラル部１０ｂの幅ｗよりも広くなる一体化がなされ、シンクロメッシュロープ１０がシンクロメッシュプーリ９の外周溝に巻かれると、シンクロメッシュロープ１０の幅ｗを有するスパイラル部１０ｂは歯間溝９ｃの２個のプーリ部品９Ａ，９Ｂにわたる直線状な最小幅ｗ４に嵌めることができ、シンクロメッシュロープ１０のスパイラル部１０ｂをねじれることなく歯間溝９ｃに噛み合わせることができる。
【００６０】
以上のように、本実施の形態では、シンクロメッシュプーリ９の外周に巻かれるシンクロメッシュロープ１０のスパイラル部１０ｂはねじれることがないので、ねじれの過負荷によりシンクロメッシュロープ１０のスパイラルワイヤーの芯ワイヤーに対する接着が剥離してしまいシンクロメッシュロープ１０が破損することを防止できる。
【００６１】
【発明の効果】
以上説明したように、本発明は、２分割したプーリの一方側の歯間溝がロープのスパイラル部の幅と略一致する溝幅に形成され、他方側の歯間溝がロープのスパイラル部の幅よりも広い溝幅に形成される構成とすることにより、プーリの外周に巻かれるロープのスパイラル部はねじれることがないので、ねじれの過負荷によりロープのスパイラルワイヤーの芯ワイヤーに対する接着が剥離してしまいロープが破損することを防止できる。
【図面の簡単な説明】
【図１】第１の実施の形態に係る画像読取装置を示す斜視図である。
【図２】第１の実施の形態に係るシンクロメッシュプーリの成形時の２分割された状態を示す正面図である。
【図３】第１の実施の形態に係るシンクロメッシュプーリの一体化された状態を示す正面図である。
【図４】第１の実施の形態に係るシンクロメッシュプーリの歯間溝を示す説明図である。
【図５】第２の実施の形態に係るシンクロメッシュプーリの成形時の２分割された状態を示す正面図である。
【図６】第２の実施の形態に係るシンクロメッシュプーリの一体化された状態を示す正面図である。
【図７】第２の実施の形態に係るシンクロメッシュプーリの歯間溝を示す説明図である。
【図８】従来技術の画像読取装置を示す斜視図である。
【図９】従来技術のシンクロメッシュプーリの成形時の２分割された状態及び一体化された状態を示す正面図である。
【図１０】シンクロメッシュロープを示す正面図である。
【図１１】シンクロメッシュプーリにシンクロメッシュロープを巻いた状態を示す正面図である。
【図１２】従来技術のシンクロメッシュプーリの歯間溝にずれが生じて一体化された状態を示す正面図である。
【図１３】従来技術のシンクロメッシュプーリの歯間溝にずれが生じた場合の歯間溝を示す説明図である。
【符号の説明】
１  枠体
２  原稿カバー
３  原稿台ガラス
４  読取ユニット
５  モータ
６  ガイドシャフト
７  ホルダー
８  スライダ
９  シンクロメッシュプーリ
９Ａ，９Ｂ  プーリ部品
９ｃ  歯間溝
９ｃ１  歯間溝
９ｃ２  歯間溝
９ｄ  環状溝
１０  シンクロメッシュロープ
１０ａ  芯部
１０ｂ  スパイラル部
１１  メイン基板
１２  フラットケーブル
１００  画像読取装置
【図１】
0004557447.tif 000002
【図２】
0004557447.tif 000003
【図３】
0004557447.tif 000004
【図４】
0004557447.tif 000005
【図５】
0004557447.tif 000006
【図６】
0004557447.tif 000007
【図７】
0004557447.tif 000008
【図８】
0004557447.tif 000009
【図９】
0004557447.tif 000010
【図１０】
0004557447.tif 000011
【図１１】
0004557447.tif 000012
【図１２】
0004557447.tif 000013
【図１３】
0004557447.tif 000014